【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
減圧を組織部位にかけるシステムであって、当該システムが、 
源圧を供給するのに動作可能な減圧源と、 
前記減圧源と流体連通する多孔質パッドであって、間に複数のチャネルを形成する複数のチャネル壁を有し、前記チャネル壁は気体透過性であって、減圧が前記組織部位にかけられると、前記チャネル壁を通る気体の移動が可能となり、前記チャネル壁は実質的に液体不透過性であって、前記チャネル壁を通る液体の移動が防止され、前記チャネル壁の液体不透過性および減圧の適用が、前記複数のチャネルを通る液体の流れを生じさせる多孔質パッドと、 
減圧が前記組織部位に保持されるよう前記組織部位で前記多孔質パッドを密閉するために前記多孔質パッド上に配置可能なドレープと、を含むことを特徴とするシステム。 
【請求項２】
請求項１に記載のシステムがさらに、前記減圧源とラミナ層との間で減圧を伝達可能な送達管を含むことを特徴とするシステム。 
【請求項３】
請求項１に記載のシステムがさらに、 
減圧をかけている間、前記複数のチャネルの少なくとも１がつぶれるのを実質的に防ぐため前記複数のチャネル壁の少なくとも２の間に配置されるバイアス部材を含むことを特徴とするシステム。 
【請求項４】
請求項１に記載のシステムにおいて、 
前記多孔質パッドが、連続気泡の網状発泡体を含み、かつ 
当該連続気泡の網状発泡体が、前記複数のチャネル壁間に配置され、減圧をかけている間、前記複数のチャネルがつぶれるのを実質的に防ぐことを特徴とするシステム。 
【請求項５】
請求項１に記載のシステムにおいて、前記多孔質パッドが、連続気泡の網状発泡体を含むことを特徴とするシステム。 
【請求項６】
請求項１に記載のシステムにおいて、前記減圧の適用および前記チャネル壁の液体不透過性が、前記複数のチャネルを通して液体を引き込ませることを特徴とするシステム。 
【請求項７】
請求項１に記載のシステムにおいて、前記複数のチャネルが、互いに平行であることを特徴とするシステム。 
【請求項８】
請求項１に記載のシステムにおいて、前記複数のチャネル壁が、前記組織部位の近くの皮膚表面に対して角度をなすことを特徴とするシステム。 
【請求項９】
請求項１に記載のシステムにおいて、 
前記複数のチャネル壁が互いに平行であり、かつ 
前記複数のチャネル壁の各々が、前記組織部位の近くの皮膚表面と、約２０度乃至約９０度の角度を形成することを特徴とするシステム。 
【請求項１０】
請求項１に記載のシステムにおいて、 
前記複数のチャネル壁が互いに平行であり、かつ 
前記複数のチャネル壁の各々が、前記組織部位の近くの皮膚表面に対して、約４５度の角度を形成することを特徴とするシステム。 
【請求項１１】
請求項１に記載のシステムにおいて、 
前記複数のチャネル壁が互いに平行であり、かつ 
前記複数のチャネル壁の各チャネル壁と、隣接するチャネル壁との間隔が、約１ｍｍより大きいか、等しいことを特徴とするシステム。 
【請求項１２】
請求項１に記載のシステムにおいて、 
前記複数のチャネル壁が互いに平行であり、かつ 
前記複数のチャネル壁の各チャネル壁と、隣接するチャネル壁との間の間隔が、約１ｍｍ乃至２ｍｍであることを特徴とするシステム。 
【請求項１３】
請求項１に記載のシステムにおいて、前記複数のチャネル壁の各々の厚さが、約０．２５ｍｍ乃至０．５ｍｍの間であることを特徴とするシステム。 
【請求項１４】
請求項１に記載のシステムにおいて、前記複数のチャネル壁が、発泡ポリテトラフルオロエチレンを含むことを特徴とするシステム。 
【請求項１５】
請求項１に記載のシステムにおいて、前記複数のチャネルの各々の断面形状が、正方形、三角形、または円形のうちの１つであることを特徴とするシステム。 
【請求項１６】
請求項１に記載のシステムにおいて、前記複数のチャネルの少なくとも２つのチャネルが、前記複数のチャネル壁の共通のチャネル壁を共有することを特徴とするシステム。 
【請求項１７】
請求項１に記載のシステムにおいて、前記複数のチャネルの各々が、前記複数のチャネルの別のチャネルと、前記複数のチャネル壁の各共通のチャネル壁を共有することを特徴とするシステム。 
【請求項１８】
請求項１に記載のシステムにおいて、前記複数のチャネルの各々の長さが、前記複数のチャネルの各々の幅を超えることを特徴とするシステム。 
【請求項１９】
請求項１に記載のシステムにおいて、前記多孔質パッドが、前記組織部位と接触することを特徴とするシステム。 
【請求項２０】
請求項１に記載のシステムがさらに、前記多孔質パッドに隣接する吸収層を含み、当該吸収層が、前記複数のチャネルを介して前記組織部位からの液体を吸収することを特徴とするシステム。 
【請求項２１】
請求項１に記載のシステムがさらに、前記組織部位と前記第１の多孔質パッドとの間に配置される第２の多孔質パッドを含むことを特徴とするシステム。 
【請求項２２】
請求項１に記載のシステムにおいて、前記多孔質パッドのチャネル壁が、前記多孔質パッドと前記組織部位との間の界面に沿って、液体が流れるのを実質的に防ぐことを特徴とするシステム。 
【請求項２３】
組織部位に減圧をかけるシステムであって、当該システムが、 
減圧を供給するよう動作可能な減圧源と、 
前記減圧源と流体連通するラミナ層であって、液体が引き込まれる複数のチャネルを形成する複数のチャネル壁を有し、前記複数のチャネル壁を通して減圧を前記組織部位に伝達可能なラミナ層と、 
前記ラミナ層の少なくとも一部を覆うシーリング部材と、を含むことを特徴とするシステム。 
【請求項２４】
請求項２３に記載のシステムがさらに、前記減圧源と前記ラミナ層との間で減圧を伝達可能な送達管を含むことを特徴とするシステム。 
【請求項２５】
請求項２３に記載のシステムがさらに、 
前記複数のチャネル壁の少なくとも２つの間に配置され、減圧をかけている間、前記複数のチャネルの少なくとも１つがつぶれるのを実質的に防ぐバイアス部材を具えることを特徴とするシステム。 
【請求項２６】
請求項２３に記載のシステムがさらに、 
前記複数のチャネル壁間に配置され、減圧をかけている間、前記複数のチャネルがつぶれるのを実質的に防ぐ多孔質発泡体を含むことを特徴とするシステム。 
【請求項２７】
請求項２６に記載のシステムにおいて、前記多孔質発泡体が、連続気泡の網状発泡体であることを特徴とするシステム。 
【請求項２８】
請求項２３に記載のシステムにおいて、前記複数のチャネル壁が、複数の気体透過性のチャネル壁であることを特徴とするシステム。 
【請求項２９】
請求項２８に記載のシステムにおいて、気体が、前記複数の気体透過性のチャネル壁を通して引き込まれることを特徴とするシステム。 
【請求項３０】
請求項２３に記載のシステムにおいて、前記複数のチャネル壁が、液体不透過性であることを特徴とするシステム。 
【請求項３１】
請求項３０に記載のシステムにおいて、前記複数のチャネル壁が、前記組織部位からの滲出液に対して不透過性であることを特徴とするシステム。 
【請求項３２】
請求項３０に記載のシステムにおいて、前記減圧の適用および前記チャネル壁の液体不透過性が、前記複数のチャネルを通して液体を引き込ませることを特徴とするシステム。 
【請求項３３】
請求項２３に記載のシステムにおいて、前記複数のチャネルが、互いに平行であることを特徴とするシステム。 
【請求項３４】
請求項２３に記載のシステムにおいて、前記複数のチャネル壁が、前記組織部位の近くの皮膚表面に対して角度をなすことを特徴とするシステム。 
【請求項３５】
請求項２３に記載のシステムにおいて、 
前記複数のチャネル壁が互いに平行であり、かつ 
前記複数のチャネルの各々が、前記組織部位の近くの皮膚表面に対して約２０度乃至約９０度の角度を形成することを特徴とするシステム。 
【請求項３６】
請求項２３に記載のシステムにおいて、 
前記複数のチャネル壁が互いに平行であり、かつ 
前記組織部位の近くの皮膚表面に対して約４５度の角度を形成することを特徴とするシステム。 
【請求項３７】
請求項２３に記載のシステムにおいて、 
前記複数のチャネル壁が互いに平行であり、かつ 
前記複数のチャネル壁の各々のチャネル壁と、隣接するチャネル壁との間隔が、約２３ｍｍより大きいか、等しいことを特徴とするシステム。 
【請求項３８】
請求項２３に記載のシステムにおいて、 
前記複数のチャネル壁が互いに平行であり、かつ 
前記複数のチャネル壁の各々のチャネル壁と、隣接するチャネル壁との間隔が、約２３ｍｍ乃至約２ｍｍであることを特徴とするシステム。 
【請求項３９】
請求項２３に記載のシステムにおいて、前記複数のチャネル壁の各々の厚さが、約０．２５ｍｍ乃至約０．５ｍｍであることを特徴とするシステム。 
【請求項４０】
請求項２３に記載のシステムにおいて、前記複数のチャネル壁が、発泡ポリテトラフルオロエチレンを含むことを特徴とするシステム。 
【請求項４１】
請求項２３に記載のシステムにおいて、前記複数のチャネルの各々の断面形状が、正方形、三角形、または円形のうちの１つであることを特徴とするシステム。 
【請求項４２】
請求項２３に記載のシステムにおいて、前記複数のチャネルの少なくとも２つのチャネルが、前記複数のチャネル壁の共通のチャネル壁を共有することを特徴とするシステム。 
【請求項４３】
請求項２３に記載のシステムにおいて、前記複数のチャネルの各々が、前記複数のチャネルの別のチャネルと、前記複数のチャネル壁の各共通のチャネル壁を共有することを特徴とするシステム。 
【請求項４４】
請求項２３に記載のシステムにおいて、前記複数のチャネルの各々の長さが、前記複数のチャネルの各々の幅を超えることを特徴とするシステム。 
【請求項４５】
請求項２３に記載のシステムにおいて、前記ラミナ層が、前記組織部位と接触することを特徴とするシステム。 
【請求項４６】
請求項２３に記載のシステムがさらに、前記ラミナ層に隣接する吸収層を含み、当該吸収層が、前記複数のチャネルを介して、前記組織部位からの液体を吸収することを特徴とするシステム。 
【請求項４７】
請求項２３に記載のシステムがさらに、前記組織部位と前記ラミナ層との間に配置される多孔質パッドを含むことを特徴とするシステム。 
【請求項４８】
請求項２３に記載のシステムにおいて、前記ラミナ層が、前記ラミナ層と前記組織部位との間の界面に沿って、液体が広がるのを実質的に防ぐことを特徴とするシステム。 
【請求項４９】
組織部位に減圧をかけるシステムであって、当該システムが、 
減圧を供給するよう動作可能な減圧源と、 
前記減圧源と流体連通するラミナ層であって、間に複数のチャネルを形成するための複数のチャネル壁を有し、前記チャネル壁が、実質的に液体不透過性かつ気体透過性であり、前記チャネル壁が、前記組織部位の近くの皮膚表面と約２０度乃至約９０度の角度を形成するラミナ層と、 
減圧が前記組織部位に保持されるよう前記組織部位で前記ラミナ層を密閉するよう前記ラミナ層上に配置可能なドレープと、を含むことを特徴とするシステム。 
【請求項５０】
請求項４９に記載のシステムがさらに、前記減圧源と前記ラミナ層との間に減圧を伝達可能な送達管を含むことを特徴とするシステム。 
【請求項５１】
請求項４９に記載のシステムがさらに、 
前記複数のチャネル壁の少なくとも２つの間に配置され、減圧をかけている間、前記複数のチャネルの少なくとも１つがつぶれるのを実質的に防ぐバイアス部材を含むことを特徴とするシステム。 
【請求項５２】
請求項４９に記載のシステムがさらに、 
前記複数のチャネル壁間に配置され、減圧をかけている間、前記複数のチャネルがつぶれるのを実質的に防ぐ多孔質発泡体を含むことを特徴とするシステム。 
【請求項５３】
請求項５２に記載のシステムにおいて、前記多孔質発泡体が、連続気泡の網状発泡体であることを特徴とするシステム。 
【請求項５４】
請求項４９に記載のシステムにおいて、気体が、気体透過性のチャネル壁を通して引き込まれることを特徴とするシステム。 
【請求項５５】
請求項４９に記載のシステムにおいて、前記複数のチャネル壁が、前記組織部位からの滲出液が前記複数のチャネル壁を通り移動することを実質的に防ぐことを特徴とするシステム。 
【請求項５６】
請求項４９に記載のシステムにおいて、前記減圧の適用および前記チャネル壁の液体不透過性により、前記複数のチャネルを通して、滲出液が前記組織部位から引き込まれることを特徴とするシステム。 
【請求項５７】
請求項４９に記載のシステムにおいて、前記角度が、約４５度であることを特徴とするシステム。 
【請求項５８】
請求項４９に記載のシステムにおいて、前記複数のチャネル壁の各々のチャネル壁と、隣接するチャネル壁との間隔が、約１ｍｍより大きいか、等しいことを特徴とするシステム。 
【請求項５９】
請求項４９に記載のシステムにおいて、前記複数のチャネル壁の各々のチャネル壁と、隣接するチャネル壁との間隔が、約１ｍｍ乃至約２ｍｍであることを特徴とするシステム。 
【請求項６０】
請求項４９に記載のシステムにおいて、前記複数のチャネル壁の各々の厚さが、約０．２５ｍｍ乃至約０．５ｍｍであることを特徴とするシステム。 
【請求項６１】
請求項４９に記載のシステムにおいて、前記複数のチャネル壁が、発泡ポリテトラフルオロエチレンを含むことを特徴とするシステム。 
【請求項６２】
請求項４９に記載のシステムにおいて、前記複数のチャネルの各々の断面形状が、正方形、三角形、または円形のうちの１つであることを特徴とするシステム。 
【請求項６３】
請求項４９に記載のシステムにおいて、前記複数のチャネルの少なくとも２つのチャネルが、前記複数のチャネル壁の共通のチャネル壁を共有することを特徴とするシステム。 
【請求項６４】
請求項４９に記載のシステムにおいて、前記複数のチャネルの各々が、前記複数のチャネルの別のチャネルと、前記複数のチャネル壁の各共通のチャネルを共有することを特徴とするシステム。 
【請求項６５】
請求項４９に記載のシステムにおいて、前記複数のチャネルの各々の長さが、前記複数のチャネルの各々の幅を超えることを特徴とするシステム。 
【請求項６６】
請求項４９に記載のシステムにおいて、前記ラミナ層が、前記組織部位と接触することを特徴とするシステム。 
【請求項６７】
請求項４９に記載のシステムがさらに、前記ラミナ層に隣接する吸収層を含み、当該吸収層が、前記複数のチャネルを介して前記組織部位からの液体を吸収することを特徴とするシステム。 
【請求項６８】
請求項４９に記載のシステムがさらに、前記組織部位と前記ラミナ層との間に配置される多孔質パッドを含むことを特徴とするシステム。 
【請求項６９】
請求項４９に記載のシステムにおいて、前記ラミナ層が、前記ラミナ層と前記組織部位との間の界面に沿って、液体が広がるのを実質的に防ぐことを特徴とするシステム。 
【請求項７０】
組織部位に減圧をかけるドレッシングであって、当該ドレッシングが、 
液体が吸い込まれる複数のチャネルを形成する複数のチャネル壁を有するラミナ層であって、前記複数のチャネル壁を通して、減圧を前記組織部位に伝達可能なラミナ層と、 
前記組織部位上に密閉を設けるために前記ラミナ層の少なくとも一部を覆うシーリング部材と、を含むことを特徴とするドレッシング。 
【請求項７１】
請求項７０に記載のドレッシングがさらに、 
前記複数のチャネル壁間の少なくとも２つの間に配置され、減圧をかけている間、前記複数のチャネルの少なくとも１つがつぶれるのを実質的に防ぐバイアス部材を含むことを特徴とするドレッシング。 
【請求項７２】
請求項７０に記載のドレッシングがさらに、 
前記複数のチャネル壁間に配置され、減圧をかけている間、前記複数のチャネルがつぶれるのを実質的に防ぐ多孔質発泡体を含むことを特徴とするドレッシング。 
【請求項７３】
請求項７２に記載のドレッシングにおいて、前記多孔質発泡体が、連続気泡の網状発泡体であることを特徴とするドレッシング。 
【請求項７４】
請求項７０に記載のドレッシングにおいて、前記複数のチャネル壁が、複数の気体透過性のチャネル壁であることを特徴とするドレシング。 
【請求項７５】
請求項７４に記載のドレッシングにおいて、気体が、前記複数の気体透過性のチャネル壁を通して引き込まれることを特徴とするドレッシング。 
【請求項７６】
請求項７０に記載のドレッシングにおいて、前記複数のチャネル壁が、液体不透過性であることを特徴とするドレッシング。 
【請求項７７】
請求項７６に記載のドレッシングにおいて、前記複数のチャネル壁が、前記組織部位からの滲出液に対して不透過性であることを特徴とするドレッシング。 
【請求項７８】
請求項７６に記載のドレッシングにおいて、前記減圧の適用および前記チャネル壁の液体不透過性が、前記複数のチャネルを通して前記液体を引き込ませることを特徴とするドレッシング。 
【請求項７９】
請求項７０に記載のドレッシングにおいて、前記複数のチャネルが、互いに平行であることを特徴とするドレッシング。 
【請求項８０】
請求項７０に記載のドレッシングにおいて、前記複数のチャネル壁が、前記組織部位の近くの皮膚表面に対して角度をなすことを特徴とするドレッシング。 
【請求項８１】
請求項７０に記載のドレッシングにおいて、 
前記複数のチャネル壁が互いに平行であり、かつ 
前記複数のチャネル壁の各々が、前記組織部位の近くの皮膚表面と、約２０度乃至約９０度の角度を形成することを特徴とするドレッシング。 
【請求項８２】
請求項７０に記載のドレッシングにおいて、 
前記複数のチャネル壁が互いに平行であり、かつ 
前記複数のチャネル壁の各々が、前記組織部位の近くの皮膚表面と、約４５度の角度を形成することを特徴とするドレッシング。 
【請求項８３】
請求項７０に記載のドレッシングにおいて、 
前記複数のチャネル壁が互いに平行であり、かつ 
前記複数のチャネル壁の各チャネル壁と、隣接するチャネル壁との間隔が、約７０ｍｍより大きいか、等しいことを特徴とするドレッシング。 
【請求項８４】
請求項７０に記載のドレッシングにおいて、 
前記複数のチャネル壁が互いに平行であり、かつ 
前記複数のチャネル壁の各々のチャネル壁と、隣接するチャネル壁との間隔が、約７０ｍｍ乃至約２ｍｍであることを特徴とするドレッシング。 
【請求項８５】
請求項７０に記載のドレッシングにおいて、前記複数のチャネル壁の各々の厚さが、約０．２５ｍｍ乃至約０．５ｍｍであることを特徴とするドレッシング。 
【請求項８６】
請求項７０に記載のドレッシングにおいて、前記複数のチャネル壁が、発泡ポリテトラフルオロエチレンを含むことを特徴とするドレッシング。 
【請求項８７】
請求項７０に記載のドレッシングにおいて、前記複数のチャネルの各々の断面形状が、正方形、三角形、または円形のうちの１つであることを特徴とするドレッシング。 
【請求項８８】
請求項７０に記載のドレッシングにおいて、前記複数のチャネルの少なくとも２つのチャネルが、前記複数のチャネル壁の共通のチャネル壁を共有することを特徴とするドレッシング。 
【請求項８９】
請求項７０に記載のドレッシングにおいて、前記複数のチャネルの各々が、前記複数のチャネルの別のチャネルと、前記複数のチャネル壁の各共通のチャネル壁を共有することを特徴とするドレッシング。 
【請求項９０】
請求項７０に記載のドレッシングにおいて、前記複数のチャネルの各々の長さが、前記複数のチャネルの各々の幅を超えることを特徴とするドレッシング。 
【請求項９１】
請求項７０に記載のドレッシングにおいて、前記ラミナ層が、前記組織部位と接触することを特徴とするドレッシング。 
【請求項９２】
請求項７０に記載のドレッシングがさらに、前記ラミナ層に隣接する吸収層を含み、当該吸収層が、前記複数のチャネルを介して前記組織部位からの液体を吸収することを特徴とするドレッシング。 
【請求項９３】
請求項７０に記載のドレッシングがさらに、前記組織部位と前記ラミナ層との間に配置される多孔質パッドを含むことを特徴とするドレッシング。 
【請求項９４】
請求項７０に記載のドレッシングにおいて、前記ラミナ層が、前記ラミナ層と前記組織部位との間の界面に沿って、液体が広がるのを実質的に防ぐことを特徴とするドレッシング。 
【請求項９５】
組織部位に減圧をかけるドレッシングであって、当該ドレッシングが、 
間に複数のチャネルを形成する複数のチャネル壁を有する多孔質パッドであって、前記組織部位に減圧をかけると、前記チャネル壁を通る気体の移動が可能となるよう前記チャネル壁は気体透過性であり、前記チャネル壁を通る液体の移動を防ぐよう前記チャネル壁は実質的に液体不透過性であり、前記チャネル壁の液体不透過性および減圧の適用が、前記複数のチャネルを通る液体の流れを生じさせる多孔質パッドと、 
減圧が前記組織部位に保持されるよう前記組織部位で前記多孔質パッドを密閉するために前記多孔質パッド上に配置可能なドレープと、を含むことを特徴とするシステム。 
【請求項９６】
請求項９５に記載のドレッシングがさらに、 
前記複数のチャネル壁の少なくとも２つの間に配置され、減圧をかけている間、前記複数のチャネルの少なくとも１つがつぶれることを実質的に防ぐことを特徴とするドレッシング。 
【請求項９７】
請求項９５に記載のドレッシングにおいて、 
前記多孔質パッドが、連続発泡の網状発泡体を含み、かつ 
当該連続気泡の網状発泡体が、前記複数のチャネル壁間に配置され、減圧をかけている間、前記複数のチャネルがつぶれるのを実質的に防ぐことを特徴とするドレッシング。 
【請求項９８】
請求項９５に記載のドレッシングにおいて、前記多孔質パッドが、連続気泡の網状発泡体を含むことを特徴とするドレッシング。 
【請求項９９】
請求項９５に記載のドレッシングにおいて、前記減圧の適用および前記チャネル壁の液体不透過性が、前記複数のチャネルを通して液体を引き込むことを特徴とするドレッシング。 
【請求項１００】
請求項９５に記載のドレッシングにおいて、前記複数のチャネルが、互いに平行であることを特徴とするドレッシング。 
【請求項１０１】
請求項９５に記載のドレッシングにおいて、前記複数のチャネル壁が、前記組織部位の近くの皮膚表面に対して角度をなすことを特徴とするドレッシング。 
【請求項１０２】
請求項９５に記載のドレッシングにおいて、 
前記複数のチャネル壁が互いに平行であり、かつ 
前記複数のチャネル壁の各々が、前記組織部位の近くの皮膚表面と、約２０度乃至約９０度の角度を形成することを特徴とするドレッシング。 
【請求項１０３】
請求項９５に記載のドレッシングにおいて、 
前記複数のチャネル壁が互いに平行であり、かつ 
前記複数のチャネル壁の各々が、前記組織部位の近くの皮膚表面と、約４５度の角度を形成することを特徴とするドレッシング。 
【請求項１０４】
請求項９５に記載のドレッシングにおいて、 
前記複数のチャネル壁が互いに平行であり、かつ 
前記複数のチャネル壁の各チャネル壁と、隣接するチャネル壁との間隔が、約１ｍｍより大きいか、等しいことを特徴とするドレッシング。 
【請求項１０５】
請求項９５に記載のドレッシングにおいて、 
前記複数のチャネル壁が互いに平行であり、かつ 
前記複数のチャネル壁の各チャネル壁と、隣接するチャネル壁との間隔が、約１ｍｍ乃至約２ｍｍであることを特徴とするドレッシング。 
【請求項１０６】
請求項９５に記載のドレッシングにおいて、前記複数のチャネル壁の各々の厚さが、約０．２５ｍｍ乃至約０．５ｍｍであることを特徴とするドレッシング。 
【請求項１０７】
請求項９５に記載のドレッシングにおいて、前記複数のチャネル壁が、発泡ポリテトラフルオロエチレンを含むことを特徴とするドレッシング。 
【請求項１０８】
請求項９５に記載のドレッシングにおいて、前記複数のチャネルの各々の断面形状が、正方形、三角形、または円形のうちの１つであることを特徴とするドレッシング。 
【請求項１０９】
請求項９５に記載のドレッシングにおいて、前記複数のチャネルの少なくとも２つのチャネルが、前記複数のチャネル壁の共通のチャネル壁を共有することを特徴とするドレッシング。 
【請求項１１０】
請求項９５に記載のドレッシングにおいて、前記複数のチャネルの各々が、前記複数のチャネルの別のチャネルと、前記複数のチャネル壁の各共通のチャネル壁を共有することを特徴とするドレッシング。 
【請求項１１１】
請求項９５に記載のドレッシングにおいて、前記複数のチャネルの各々の長さが、前記複数のチャネルの各々の幅を超えることを特徴とするドレッシング。 
【請求項１１２】
請求項９５に記載のドレシングにおいて、前記多孔質パッドが、前記組織部位と接触することを特徴とするドレッシング。 
【請求項１１３】
請求項９５に記載のドレッシングがさらに、前記多孔質パッドに隣接する吸収層を含み、当該吸収層が、前記複数のチャネルを介して前記組織部位からの液体を吸収することを特徴とするドレッシング。 
【請求項１１４】
請求項９５に記載のドレッシングがさらに、前記組織部位と前記第１の多孔質パッドとの間に配置される第２の多孔質パッドを含むことを特徴とするドレッシング。 
【請求項１１５】
請求項９５に記載のドレッシングにおいて、前記多孔質パッドのチャネル壁が、前記多孔質パッドと前記組織部位との間の界面に沿って、液体が広がるのを実質的に防ぐことを特徴とするドレッシング。 
【請求項１１６】
組織部位に減圧をかけるドレッシングであって、当該ドレッシングが、 
間に複数のチャネルを形成する複数のチャネル壁を有するラミナ層であって、前記チャネル壁が、実質的に液体不透過性および気体透過性であり、前記チャネル壁が互いに平行であり、かつ前記組織部位の近くの皮膚表面と約２０度乃至約９０度の角度を形成するラミナ層と、 
減圧が前記組織部位に保持されるように、前記組織部位に前記ラミナ層を密閉する前記ラミナ層上に配置可能なドレープと、を含むことを特徴とするドレッシング。 
【請求項１１７】
請求項１１６に記載のドレッシングがさらに、 
前記複数のチャネル壁の少なくとも２つの間に配置され、減圧をかけている間、前記複数のチャネルの少なくとも１つがつぶれるのを実質的に防ぐバイアス部材を含むことを特徴とするドレッシング。 
【請求項１１８】
請求項１１６のドレッシングがさらに、 
前記複数のチャネル壁間に配置され、減圧をかけている間、前記複数のチャネルがつぶれるのを実質的に防ぐ多孔質パッドを含むことを特徴とするドレッシング。 
【請求項１１９】
請求項１１８に記載のドレッシングにおいて、前記多孔質発泡体が、連続気泡の網状発泡体であることを特徴とするドレッシング。 
【請求項１２０】
請求項１１６に記載のドレッシングにおいて、気体が、前記複数の気体透過性チャネル壁を通して引き込まれることを特徴とするドレッシング。 
【請求項１２１】
請求項１１６に記載のドレッシングにおいて、前記複数のチャネル壁により、前記組織部位からの滲出液が、前記複数のチャネル壁を通り移動することを実質的に防ぐことを特徴とするドレッシング。 
【請求項１２２】
請求項１１６に記載のドレッシングにおいて、前記減圧の適用および前記チャネル壁の液体不透過性が、前記組織部位からの滲出液を、前記複数のチャネルを通して引き込ませることを特徴とするドレッシング。 
【請求項１２３】
請求項１１６に記載のドレッシングにおいて、前記角度が、約４５度であることを特徴とするドレッシング。 
【請求項１２４】
請求項１１６に記載のドレッシングにおいて、前記複数のチャネル壁の各チャネル壁と、隣接するチャネル壁との間隔が、１ｍｍより大きいか、等しいことを特徴とするドレッシング。 
【請求項１２５】
請求項１１６に記載のドレッシングにおいて、前記複数のチャネル壁の各チャネル壁と、隣接するチャネル壁との間隔が、約１ｍｍ乃至約２ｍｍであることを特徴とするドレッシング。 
【請求項１２６】
請求項１１６に記載のドレッシングにおいて、前記複数のチャネル壁の各々の厚さが、約０．２５ｍｍ乃至約０．５ｍｍであることを特徴とするドレッシング。 
【請求項１２７】
請求項１１６に記載のドレッシングにおいて、前記複数のチャネル壁が、発泡ポリテトラフルオロエチレンを含むことを特徴とするドレッシング。 
【請求項１２８】
請求項１１６に記載のドレッシングにおいて、前記複数のチャネルの各々の断面形状が、正方形、三角形、または円形のうちの１つであることを特徴とするドレッシング。 
【請求項１２９】
請求項１１６に記載のドレッシングにおいて、前記複数のチャネルの少なくとも２つのチャネルが、前記複数のチャネル壁の共通のチャネル壁を共有することを特徴とするドレッシング。 
【請求項１３０】
請求項１１６に記載のドレッシングにおいて、前記複数のチャネルの各々が、前記複数のチャネルの別のチャネルと、前記複数のチャネル壁の各共通のチャネル壁を共有することを特徴とするドレッシング。 
【請求項１３１】
請求項１１６に記載のドレッシングにおいて、前記複数のチャネルの各々の長さが、前記複数のチャネルの各々の幅を超えることを特徴とするドレッシング。 
【請求項１３２】
請求項１１６に記載のドレッシングにおいて、前記ラミナ層が、前記組織部位と接触することを特徴とするドレッシング。 
【請求項１３３】
請求項１１６に記載のドレッシングがさらに、前記ラミナ層に隣接する吸収層を含み、当該吸収層が、前記複数のチャネルを介して前記組織部位からの液体を吸収することを特徴とするドレッシング。 
【請求項１３４】
請求項１１６に記載のドレッシングがさらに、前記組織部位と前記ラミナ層との間に配置される多孔質パッドを含むことを特徴とするドレッシング。 
【請求項１３５】
請求項１１６に記載のドレッシングにおいて、前記ラミナ層が、前記ラミナ層と前記組織部位との間の界面に沿って、液体が広がるのを実質的に防ぐことを特徴とするドレッシング。 
【請求項１３６】
組織部位に減圧をかけるドレッシングを製造する方法であって、当該方法が、 
液体が引き込まれる複数のチャネルを形成する複数のチャネル壁を有するラミナ層を形成するステップであって、前記ラミナ層が、前記複数のチャネル壁を通して、減圧を前記組織部位に伝達可能であるステップを含みことを特徴とする方法。 
【請求項１３７】
請求項１３６に記載の方法がさらに、 
前記ラミナ層の少なくとも一部をシーリング部材で覆うステップを含むことを特徴とする方法。